【手続補正書】
【提出日】平成18年7月21日(2006.7.21)
【手続補正１】
【補正対象書類名】特許請求の範囲
【補正対象項目名】全文
【補正方法】変更
【補正の内容】
【特許請求の範囲】
【請求項１】
結合剤が付着された細長い多数の木質材片をほぼ長さ方向に揃えて配向積層して木質積層マットとし、この木質積層マットの上に配向した木質材片を更に積み重ねて厚い木質積層マットを得る木質積層マットの形成方法であって、
木質材片を供給する供給装置と、
供給装置の下方に配置され、木質材片の搬送方向と平行に立設された複数の板又は並設された複数の溝からなる配向装置とで構成される、
配向した木質材片を搬送装置上に積層する木質材片配向積層装置の複数台を、
搬送装置上方に列設し、
少なくとも最初の木質材片配向積層装置の供給装置で、木質材片の単位時間当たり供給量が一定となるように供給量を制御しながら、木質材片を供給装置から配向装置へ供給し、配向装置で、木質材片が配向されかつ高さが略一定とされた木質積層マットを搬送装置上に積層し、
以降の木質材片配向積層装置で、高さが略一定とされた木質積層マットの上に更に木質積層マットを積み重ねて積層して木質積層マットを厚くする
ことを特徴とする木質材片の配向積層方法。
【請求項２】
結合剤が付着された細長い多数の木質材片をほぼ長さ方向に揃えて配向積層して木質積層マットとし、この木質積層マットの上に配向した木質材片を更に積み重ねて厚い木質積層マットを得る木質積層マットの形成方法であって、
木質材片を供給する供給装置と、
供給装置の下方に配置され、木質材片の搬送方向と平行に立設された複数の板又は並設された複数の溝からなる配向装置とで構成される、
配向した木質材片を搬送装置上に積層する木質材片配向積層装置の複数台を、
搬送装置上方に列設し、
上記列設された木質材片配向積層装置同士の間に、木質積層マットの上面高さの均し具を設け、
搬送装置で搬送される木質積層マットの上面にその均し具を接触させて上面高さを略均一にしてから、上面高さを略均一に均された木質積層マットを以降の木質材片配向積層装置に搬送し、
以降の木質材片配向積層装置で、高さが略均一とされた木質積層マットの上に更に木質積層マットを積み重ねて積層して木質積層マットを厚くする
ことを特徴とする木質材片の配向積層方法。
【請求項３】
結合剤が付着された細長い多数の木質材片をほぼ長さ方向に揃えて配向積層して木質積層マットとし、この木質積層マットの上に配向した木質材片を更に積み重ねて厚い木質積層マットを得る木質積層マットの形成方法であって、
木質材片を供給する供給装置と、
供給装置の下方に配置され、木質材片の搬送方向と平行に立設された複数の板又は並設された複数の溝からなる配向装置とで構成される、
配向した木質材片を搬送装置上に積層する木質材片配向積層装置の複数台を、
搬送装置上方に列設し、
木質材片配向積層装置に、配向装置の高さを調節する高さ調節装置が設けられ、
該高さ調節装置により、配向装置の高さを、その木質材片配向積層装置の前に配置される木質材片配向積層装置から搬送されてくる木質積層マットの上面高さの変動に併せて調節して木質積層マットの高さを調節し、
木質積層マットを搬送装置上に積層して以降の木質材片配向積層装置に搬送し、
以降の木質材片配向積層装置で、木質積層マットの上に更に木質積層マットを積み重ねて積層して木質積層マットを厚くすることを特徴とする木質材片の配向積層方法。
【請求項４】
請求項1〜３いずれか1項記載の方法により積層された木質積層マットをプレス成形装
置に供給し、加圧または加熱成型されて所望の高さの木質系複合材料を得ることを特徴とする木質系複合材料の製造方法。
【請求項５】
結合剤が付着された細長い多数の木質材片を供給する供給装置と、
供給装置の下方に配置され、木質材片の搬送方向と平行に立設された複数の板又は並設された複数の溝からなる配向装置とで構成される、
上記木質材片をほぼ長さ方向に揃えて搬送装置上に積層して木質積層マットとする複数台の木質材片配向積層装置を、
搬送装置上方に列設し、
供給装置に、木質材片の供給量を連続して測定する計量装置と供給量の制御装置とが備えられ、
木質材片の単位時間当たり供給量が一定となるように供給量を制御しながら木質材片を供給装置から配向装置へ供給して搬送装置上に木質積層マットを形成し、
木質材片配向積層装置毎に木質積層マットの上に更に木質積層マットを積み重ねて木質積層マットを厚くする
ことを特徴とする木質積層マットの形成装置。
【請求項６】
結合剤が付着された細長い多数の木質材片を供給する供給装置と、
供給装置の下方に配置され、木質材片の搬送方向と平行に立設された複数の板又は並設された複数の溝からなる配向装置とで構成される、
上記木質材片をほぼ長さ方向に揃えて搬送装置上に積層して木質積層マットとする複数台の木質材片配向積層装置を、
搬送装置上方に列設し、
列設された木質材片配向積層装置同士の間に、木質積層マットの上面高さの均し具が設けられ、
搬送装置で搬送される木質積層マットの上面に均し具を接触させて上面の高さを略均一にしてから、その木質積層マットを次の木質材片配向積層装置に搬送して搬送装置上に木質積層マットを形成し、
木質材片配向積層装置毎に木質積層マットの上に更に木質積層マットを積み重ねて木質積層マットを厚くする
ことを特徴とする木質積層マットの形成装置。
【請求項７】
結合剤が付着された細長い多数の木質材片を供給する供給装置と、
供給装置の下方に配置され、木質材片の搬送方向と平行に立設された複数の板又は並設された複数の溝からなる配向装置とで構成される、
上記木質材片をほぼ長さ方向に揃えて搬送装置上に積層して木質積層マットとする複数台木質材片配向積層装置を、
搬送装置上方に列設し、
木質材片配向積層装置に、配向装置の高さを調節する高さ調節装置が設けられ、
その木質材片配向積層装置に搬送されてくる木質積層マットの高さの変動に合わせて、該高さ調節装置で配向装置の高さを調節して搬送装置上に木質積層マットを形成し、
木質材片配向積層装置毎に木質積層マットの上に更に木質積層マットを積み重ねて木質積層マットを厚くする
ことを特徴とする木質積層マットの形成装置。
【手続補正２】
【補正対象書類名】明細書
【補正対象項目名】発明の名称
【補正方法】変更
【補正の内容】
【発明の名称】木質材片の配向積層方法及び木質系複合材料の製造方法、並びに木質積層マットの形成装置
【手続補正３】
【補正対象書類名】明細書
【補正対象項目名】０００１
【補正方法】変更
【補正の内容】
【０００１】
本発明は、繊維方向が幅又は長さ方向より長い木質材片を結合剤と共に加圧成形して高強度木質系複合材料を得る際の、厚さが大きい木質積層マットを得る木質材片の配向積層方法及び木質系複合材料の製造方法、並びに木質積層マットの形成装置に関する。
【手続補正４】
【補正対象書類名】明細書
【補正対象項目名】００１０
【補正方法】変更
【補正の内容】
【００１０】
本発明は、上記従来の技術が有する問題を解決し、繊維方向が幅又は長さ方向より長い木質材片を結合剤と共に加圧成形して高強度木質系複合材料を得る際の、配向が乱れずかつ厚さが大きい木質積層マットを得る木質材片の配向積層方法及び木質系複合材料の製造方法、並びに木質積層マットの形成装置を提供することを目的とする。
【手続補正５】
【補正対象書類名】明細書
【補正対象項目名】００１４
【補正方法】変更
【補正の内容】
【００１４】
請求項４記載の木質系複合材料の製造方法は、請求項1〜３いずれか1項記載の方法
により積層された木質積層マットをプレス成形装置に供給し、加圧または加熱成型されて所望の高さの木質系複合材料を得ることを特徴とする。
請求項５記載の木質積層マットの形成装置（発明５）は、結合剤が付着された細長い多数の木質材片を供給する供給装置と、供給装置の下方に配置され、木質材片の搬送方向と平行に立設された複数の板又は並設された複数の溝からなる配向装置とで構成される、上記木質材片をほぼ長さ方向に揃えて搬送装置上に積層して木質積層マットとする複数台の木質材片配向積層装置を、搬送装置上方に列設し、供給装置に、木質材片の供給量を連続して測定する計量装置と供給量の制御装置とが備えられ、木質材片の単位時間当たり供給量が一定となるように供給量を制御しながら木質材片を供給装置から配向装置へ供給して搬送装置上に木質積層マットを形成し、木質材片配向積層装置毎に木質積層マットの上に更に木質積層マットを積み重ねて木質積層マットを厚くすることを特徴とする。
【手続補正６】
【補正対象書類名】明細書
【補正対象項目名】００１５
【補正方法】変更
【補正の内容】
【００１５】
請求項６記載の木質積層マットの形成装置（発明６）は、結合剤が付着された細長い多数の木質材片を供給する供給装置と、供給装置の下方に配置され、木質材片の搬送方向と平行に立設された複数の板又は並設された複数の溝からなる配向装置とで構成される、上記木質材片をほぼ長さ方向に揃えて搬送装置上に積層して木質積層マットとする複数台の木質材片配向積層装置を、搬送装置上方に列設し、列設された木質材片配向積層装置同士の間に、木質積層マットの上面高さの均し具が設けられ、搬送装置で搬送される木質積層マットの上面に均し具を接触させて上面の高さを略均一にしてから、その木質積層マットを次の木質材片配向積層装置に搬送して搬送装置上に木質積層マットを形成し、木質材片配向積層装置毎に木質積層マットの上に更に木質積層マットを積み重ねて木質積層マットを厚くすることを特徴とする。
【手続補正７】
【補正対象書類名】明細書
【補正対象項目名】００１６
【補正方法】変更
【補正の内容】
【００１６】
請求項７記載の木質積層マットの形成装置（発明７）は、結合剤が付着された細長い多数の木質材片を供給する供給装置と、供給装置の下方に配置され、木質材片の搬送方向と平行に立設された複数の板又は並設された複数の溝からなる配向装置とで構成される、上記木質材片をほぼ長さ方向に揃えて搬送装置上に積層して木質積層マットとする複数台木質材片配向積層装置を、搬送装置上方に列設し、木質材片配向積層装置に、配向装置の高さを調節する高さ調節装置が設けられ、その木質材片配向積層装置に搬送されてくる木質積層マットの高さの変動に合わせて、該高さ調節装置で配向装置の高さを調節して搬送装置上に木質積層マットを形成し、木質材片配向積層装置毎に木質積層マットの上に更に木質積層マットを積み重ねて木質積層マットを厚くすることを特徴とする。
【手続補正８】
【補正対象書類名】明細書
【補正対象項目名】００４３
【補正方法】変更
【補正の内容】
【００４３】
本発明４において、木質材片は配向装置で配向されて搬送装置上に落下されて積層され、積層された木質積層マットはベルトコンベアー等の搬送装置によってプレス成形装置まで搬送される。プレス成形装置によって加圧または加熱成型されて所望の高さの木質系複合材料が形成される。
プレス機における加熱方法としては、例えば一例として、熱板のように木質材片の表面から木質積層マットの内部に熱伝導によって熱を伝える方法や、蒸気噴射や高周波加熱等のように木質積層マットの内部を直接加熱する方法が挙げられる。
【手続補正９】
【補正対象書類名】明細書
【補正対象項目名】００４５
【補正方法】変更
【補正の内容】
【００４５】
本発明５から７に記載の木質積層マットの形成装置は、上記発明１から３を実施するための装置である。供給装置は、結合剤が付着された細長い多数の木質材片、即ち繊維方向が幅又は長さ方向より長くかつその表面に結合剤が付着された木質材片（以降、単に木質材片ともいう）の供給量を連続して計測しながら、供給装置の下方に配置され、配向板又は配向溝からなる配向装置に、時間当たりの供給量が一定となるように制御しながら供給する装置であり、一般的なスケールコンベアー等である。通常、コンベアーには均しロールが設けられ、供給装置に投入されて均しロールの下を通過する木質材片をコンベアーの幅方向に広げると共にその表面を均して高さを揃える機能を有する。
【手続補正１０】
【補正対象書類名】明細書
【補正対象項目名】００４６
【補正方法】変更
【補正の内容】
【００４６】
本発明５においては、複数台の配向積層装置を搬送装置上に流れ方向に沿って列設され、少なくとも最初の配向積層装置で、木質材片が供給装置に投入されて、単位時間当たりの供給量を一定にしながら配向装置に供給される。供給量は、容量又は重量で測定すれば良いが、通常、重量測定が連続的に測定できかつ容易で比較的正確な供給量測定が出来る。        
【手続補正１１】
【補正対象書類名】明細書
【補正対象項目名】００４８
【補正方法】変更
【補正の内容】
【００４８】
本発明６においては、複数台の配向積層装置を搬送装置上に流れ方向に沿って列設
し、前後の配向積層装置同士の間に、前の配向装置で積層された木質積層マットの上面高さを略均一に均す均し具が設けられている。木質積層マットは嵩比重が小さいため、その表面に均し具を軽く接触するだけで均すことが出来る。
【手続補正１２】
【補正対象書類名】明細書
【補正対象項目名】００５３
【補正方法】変更
【補正の内容】
【００５３】
本発明７においては、複数台の配向積層装置を搬送装置上に流れ方向に沿って列設
し、少なくとも最初の配向積層装置の配向装置に、その配向装置下端部と、前の配向積層装置から供給される木質積層マットの上面との距離を、所望の距離に調節できる配向板高さ調節装置が設けられる。
【手続補正１３】
【補正対象書類名】明細書
【補正対象項目名】００５９
【補正方法】変更
【補正の内容】
【００５９】
本発明１においては、木質材片配向積層装置の供給装置で、木質材片の単位時間当たり供給量が一定となるように供給量を制御しながら木質材片を供給装置から配向装置へ供給するので、搬送装置上に積層された木質材片の厚さが略一定となり、高さが略一定とされた木質積層マットの上に更に木質積層マットを積み重ねて積層すれば、配向の乱れを少なくして木質積層マットを厚くすることができる。
【手続補正１４】
【補正対象書類名】明細書
【補正対象項目名】００６０
【補正方法】変更
【補正の内容】
【００６０】
本発明２においては、列設された木質材片配向積層装置同士の間に、木質積層マットの上面高さの均し具を設け、搬送装置で搬送される木質積層マットの上面にその均し具を接触させて上面高さを略均一にするので、木質積層マットの高さが均一となり、以降の木質材片配向積層装置で、高さが略均一とされた木質積層マットの上に更に木質積層マットを積み重ねて積層すれば、配向の乱れを少なくして木質積層マットを厚くすることができる。
【手続補正１５】
【補正対象書類名】明細書
【補正対象項目名】００６１
【補正方法】変更
【補正の内容】
【００６１】
本発明３においては、木質材片配向積層装置に、配向装置の高さを調節する高さ調節装置が設けられ、該高さ調節装置により、配向装置の高さを、その木質材片配向積層装置の前に配置される木質材片配向積層装置から搬送されてくる木質積層マットの上面高さの変動に併せて調節して木質積層マットの高さを調節するので、以降の木質材片配向積層装置で、木質積層マットの上に更に木質積層マットを積み重ねて積層する際に、木質積層マットの表面の配向が乱れにくく、配向の乱れを少なくして木質積層マットを厚くすることができる。
【手続補正１６】
【補正対象書類名】明細書
【補正対象項目名】００６２
【補正方法】変更
【補正の内容】
【００６２】
本発明４においては、本発明1〜３いずれかの方法により積層された木質積層マット
をプレス成形装置に供給し、加圧または加熱成型されて所望の高さの木質系複合材料を得るものであるから、繊維方向が幅又は長さ方向より長い木質材片を結合剤と共に加圧成形して高強度木質系複合材料を得る際の、配向が乱れずかつ厚さが大きいものとなる。
本発明５においては、供給装置に、木質材片の供給量を連続して測定する計量装置と供給量の制御装置とが備えられ、木質材片の単位時間当たり供給量が一定となるように供給量を制御しながら木質材片を供給装置から配向装置へ供給するので、搬送装置上に形成される木質積層マットの厚さが一定となる。
【手続補正１７】
【補正対象書類名】明細書
【補正対象項目名】００６３
【補正方法】変更
【補正の内容】
【００６３】
本発明６においては、列設された木質材片配向積層装置同士の間に、木質積層マットの上面高さの均し具が設けられ、搬送装置で搬送される木質積層マットの上面に均し具を接触させるので、木質積層マットの上面の高さが略均一均される。
【手続補正１８】
【補正対象書類名】明細書
【補正対象項目名】００６４
【補正方法】変更
【補正の内容】
【００６４】
本発明７においては、木質材片配向積層装置に、配向装置の高さを調節する高さ調節装置が設けられ、その木質材片配向積層装置に搬送されてくる木質積層マットの高さの変動に合わせて、該高さ調節装置で配向装置の高さを調節するので、木質材片配向積層装置毎に木質積層マットの上に更に木質積層マットを積み重ねる際、搬送装置の下端部と木質積層マットの上面との間の自由空間の高さを最小限にすることができるので、木質材片の配向が乱れずに積層マットを形成することができる。